(57)【要約】【課題】複数の録画機器で記録した番組の情報を１ヶ所でまとめて管理することにより、複数種類の媒体から目的の番組を検索したり、番組の検索、再生を番組表上から行うことが可能な番組情報管理方法および装置を提供する。【解決手段】１つ以上の録画機器で番組の録画を行う手段と、録画した番組の情報を保存しておく番組情報保存手段と、保存された番組情報から目的の番組を検索する番組情報検索手段と、１つ以上の録画機器を操作して番組の複製や移動を行う機器操作手段を備える。【選択図】  図３
2005027072.tif 000002
【特許請求の範囲】
【請求項１】
録画した番組の情報を管理する方法であって、録画した際、番組の番組名、日時、チャンネル、録画に用いた機器、媒体などの情報を含む番組情報を自動的に番組情報保存手段に登録することを特徴とする番組情報管理方法。
【請求項２】
番組の複製や移動や消去に伴って番組情報を更新する方法であって、複製や移動や消去を行った際、番組情報保存手段に保持されている番組情報を自動的に更新することを特徴とする請求項１に記載の番組情報管理方法。
【請求項３】
番組情報を検索する方法であって、番組情報保存手段に保持されている１つ以上の機器、媒体に保存されている番組の情報から番組名、日時などをキーとして検索を行う番組情報検索手段を持ち、ユーザーが指定した情報に合致する番組の検索を行い、番組が保存されている媒体の情報の提示や番組の再生を行うことを特徴とする請求項１に記載の番組情報検索方法。
【請求項４】
録画した番組の情報を管理する装置であって、番組情報を保持する番組情報保存手段と、録画した番組を番組情報保持手段に登録する番組情報登録手段を持ち、録画を行った際、番組の番組名、日時、チャンネル、録画に用いた機器などの情報を含む番組情報を自動的に番組情報保存手段に登録することを特徴とする番組情報管理装置。
【請求項５】
番組の複製や移動や消去に伴って番組情報を更新する装置であって、番組情報保存手段と、番組情報を更新する手段を持ち、番組の複製や移動や消去を行った際、番組情報保存手段に保持されている番組情報を自動的に更新することを特徴とする請求項４に記載の番組情報管理装置。
【請求項６】
番組情報を検索する装置であって、番組情報保存手段と、番組名、日時などをキーとして番組を検索する手段を持ち、番組が保存されている媒体の情報の提示や、機器を操作して番組の再生を行うことを特徴とする請求項４に記載の番組情報検索装置。
【請求項７】
請求項１乃至請求項２に記載の番組情報管理方法をコンピュータ上で実現するプログラムを記録した記録媒体。
【請求項８】
請求項３に記載の番組情報検索方法をコンピュータ上で実現するプログラムを記録した記録媒体。
【発明の詳細な説明】
【０００１】
【発明の属する技術分野】
本発明は、複数の録画機器で記録した番組の情報を１ヶ所でまとめて管理することにより、複数種類の媒体から目的の番組を検索することを可能にする方法と、番組の検索、再生を番組表上から行う方法と、上記の方法を実現する装置およびコンピュータプログラムを記録した媒体に関するものである。
【０００２】
【従来の技術】
現在テレビ放送において、電子番組表を用いて番組情報の配信が行われており、電子番組表情で操作を行うことによって視聴・録画の予約ができる受信機がある。また、録画した番組の日時・チャンネル・番組名などの情報を自動的に記録しておき、再生時にその情報を表示する録画機器がある（例えば、特許文献１参照）。
【０００３】
【特許文献１】
特開平０４−６６８８号公報
【０００４】
【発明が解決しようとする課題】
従来の技術では、番組情報の記録、検索や表示はそれぞれの受信機や録画機器で独自に実装されており、異なる種類の媒体から一括して検索を行うことができない。また、異なる媒体間で番組の複製、移動を行った場合は追従できない。現在、録画機器は従来からのビデオテープに加えて光ディスクやハードディスクなど多様化しており、録画した番組の管理が難しくなっている。
【０００５】
【課題を解決するための手段】
本発明の番組情報管理方法は、１つ以上の録画機器で番組の録画を行う手段と、録画した番組の情報を保存しておく番組情報保存手段と、保存された番組情報から目的の番組を検索する番組情報検索手段と、１つ以上の録画機器を操作して番組の複製や移動を行う機器操作手段を備えることを特徴とする。
【０００６】
【発明の実施の形態】
（実施の形態１）
請求項１に記載の番組情報管理方法について説明する。録画機器で録画を行う際、その録画機器またはその録画機器を操作するテレビまたはパソコンなどから、番組名、日時、チャンネル、録画に用いた機器、媒体の情報を含む番組情報を、番組情報保存手段に登録する。媒体の情報としては、ＶＨＳ、ＤＶＤなどの種類と、１つ１つの媒体を識別するためのＩＤを少なくとも含む。番組情報保存手段は、録画機器に内蔵する方法や、録画機器を操作するテレビやパソコンに内蔵する方法、独立したサーバを利用する方法が考えられる。
【０００７】
（実施の形態２）
請求項２に記載の番組情報管理方法について、図１を用いて説明する。番組情報保存手段に保持されている番組の複製を行った場合は、番組名、日時、チャンネルと複製先の媒体を含む番組情報を新たに作成し、番組情報保存手段に登録する（Ｓ１０２）。番組情報保存手段に保持されている番組の移動を行った場合は、番組名、日時、チャンネルと複製先の媒体を含む番組情報を新たに作成し、番組情報保存手段に登録し（Ｓ１０２）、番組名、日時、チャンネルと複製元の媒体を含む番組情報を番組情報保存手段から削除する（Ｓ１０４）。番組情報保存手段に保持されている番組の消去を行った場合は、番組名、日時、チャンネルと記録されていた媒体を含む番組情報を番組情報保存手段から削除する（Ｓ１０４）。上記の番組情報の登録、削除はそれぞれの録画、再生機器が行う方法や、テレビ、パソコンなど別の機器から録画、再生機器を制御できるようにしておき、そのテレビ、パソコンなどから行う方法が考えられる。番組情報保存手段は、テレビや録画、再生機器に内蔵させる方法や、外部のパソコンなどで実現する方法が考えられる。
【０００８】
（実施の形態３）
請求項３に記載の番組情報検索方法について、図２を用いて説明する。まず、ユーザーが番組を検索するためのキーを指定する（Ｓ２０１）。キーの指定の仕方は、ユーザーがリモコンやキーボードで番組名または番組名の一部、録画した日時などの情報を入力する方法や、番組表に過去の番組を表示させておいてその中から選ぶ方法が考えられる。番組情報検索手段は、指定された情報に合致する番組を番組情報保存手段から検索し（Ｓ２０２）、合致する番組があった場合はその番組がどの媒体に記録されているか等の詳細な情報を提示する（Ｓ２０４）。ここで、検索された番組が録画、再生機器上で再生可能な状態になっている場合（ハードディスクに記録されている場合、記録したテープまたはディスクが挿入されている場合等）は直ちに再生を行う（Ｓ２０６）。
【０００９】
（実施の形態４）
請求項４に記載の番組情報管理装置について、図３を用いて説明する。３０１はテレビ受信機、３０３、３０４は録画機器であり、録画を行う際は３０３、３０４を直接操作して行うことも、３０１を通して行うことも可能である。なお、ここでは録画機が２台ある例を示したが、台数には制限がない。３０１、３０２、３０３は番組情報登録手段を持ち、いずれの機器から操作を行った場合でも、番組名、日時、チャンネル、録画に用いた機器、媒体の情報を含む番組情報が番組情報保存手段３０２に登録される。媒体の情報としては、ＶＨＳ、ＤＶＤなどの種類と、１つ１つの媒体を識別するためのＩＤを少なくとも含む。なお、図３では番組情報保存手段をテレビや録画機器から独立した機器としているが、録画機器、テレビに内蔵する形態も考えられる。
【００１０】
（実施の形態５）
請求項５に記載の番組情報管理装置について、図３を用いて説明する。３０１はテレビ受信機、３０３、３０４は録画機器であり、録画した番組の複製や移動、消去を行う際は、３０３、３０４を直接操作して行うことも、３０１を通して行うことも可能である。番組情報保存手段に保持されている番組の複製を行う場合は、番組名、日時、チャンネルと複製先の媒体を含む番組情報を新たに作成し、番組情報保存手段に登録する。番組情報保存手段に保持されている番組の移動を行った場合は、番組名、日時、チャンネルと複製先の媒体を含む番組情報を新たに作成し、番組情報保存手段に登録し、番組名、日時、チャンネルと複製元の媒体を含む番組情報を番組情報保存手段から削除する。番組情報保存手段に保持されている番組の消去を行った場合は、番組名、日時、チャンネルと記録されていた媒体を含む番組情報を番組情報保存手段から削除する。なお、図３では番組情報保存手段をテレビや録画機器から独立した機器としているが、録画機器、テレビに内蔵する形態も考えられる。
【００１１】
（実施の形態６）
請求項６に記載の番組情報管理装置について、図３を用いて説明する。３０１はテレビ受信機、３０３、３０４は録画・再生機器であり、録画した番組の検索を行う際は、ユーザーが３０１の画面上で番組を検索するためのキーを指定する。キーの指定の仕方は、ユーザーがリモコンやキーボードで番組名または番組名の一部、録画した日時などの情報を入力する方法や、番組表に過去の番組を表示させておいてその中から選ぶ方法が考えられる。３０１は番組情報検索手段を備えており、番組情報検索手段は、指定された情報に合致する番組を番組情報保存手段から検索し、合致する番組があった場合はその番組がどの媒体に記録されているか等の詳細な情報を３０１に提示する。ここで、検索された番組が録画、再生機器３０３、３０４上で再生可能な状態になっている場合（ハードディスクに記録されている場合、記録したテープまたはディスクが挿入されている場合等）は直ちに再生を行う。
【００１２】
（実施の形態７）
本発明の請求項７に記載の記録媒体は、コンピュータ上で請求項１に記載の番組情報管理方法を実現するためのプログラムをコンピュータが読み取り可能な形式で記録した、例えば磁気媒体、光媒体、光磁気媒体、半導体素子などの記録媒体である。
【００１３】
（実施の形態８）
本発明の請求項８に記載の記録媒体は、コンピュータ上で請求項２に記載の番組情報管理方法を実現するためのプログラムをコンピュータが読み取り可能な形式で記録した、例えば磁気媒体、光媒体、光磁気媒体、半導体素子などの記録媒体である。
【００１４】
（実施の形態９）
本発明の請求項９に記載の記録媒体は、コンピュータ上で請求項３に記載の番組情報検索方法を実現するためのプログラムをコンピュータが読み取り可能な形式で記録した、例えば磁気媒体、光媒体、光磁気媒体、半導体素子などの記録媒体である。
【００１５】
【発明の効果】
本発明の番組情報管理方法によれば、複数の録画機機で録画を行った複数の媒体中の番組を一括して検索することが可能になり、媒体間で番組の複製や移動を行った場合でもそれに追従することが可能になる。
【図面の簡単な説明】
【図１】本発明の実施の形態２に記載の番組情報管理方法の処理を示すフローチャート
【図２】本発明の実施の形態３に記載の番組情報検索方法の処理を示すフローチャート
【図３】本発明の実施の形態４乃至６に記載の番組情報管理・検索装置の構成を示すブロック図
【符号の説明】
３０１  テレビ受信機
３０２  番組情報保存手段
３０３、３０４  録画・再生機器
【図１】
2005027072.tif 000003
【図２】
2005027072.tif 000004
【図３】
2005027072.tif 000005